(57)【要約】【課題】  公知の逆ＬＦ形２バンドアンテナを改良して、同調周波数帯域を拡大する。【解決手段】  図に斑点を付して示した構成部分は、公知の逆ＬＦ形２バンドアンテナと同様である。本発明は、平行斜線を付して示した無給電素子３を追加する。この無給電素子３は、無給電素子３とグランド板４とＹ方向長片Ψとでかこまれた区域Ｓに配設され、逆Ｌ字形をなす。第１アンテナ素子１は波長λαの電波に１／４波長で共振し、第２アンテナ素子２は波長λβの電波に１／４波長で共振する。無給電素子３の追加によって、波長λβの電波に対する同調周波数帯域が飛躍的に拡大される。 【選択図】  図１
2006238269.tif 000002
【特許請求の範囲】
【請求項１】
第１の波長λαと第２の波長λβとを送受信する２バンドアンテナにおいて、
直交座標Ｘ，Ｙを想定するとともに、Ｘ，Ｙ両軸にそれぞれ＋−の方向性を定め、
グランド板（４）が、その直線状の縁をＸ軸に沿わせて、Ｘ−Ｙ面上のＹ座標値−（マイナス）領域にに配置されており、
座標原点ＯからＹ座標値＋側に向けて、Ｙ軸に沿って延出する直線状の片（Ψ）と、
上記直線状の片（Ψ）の＋Ｙ側端からＸ座標値＋側に延出するＸ軸に平行な片から成る、波長λα／４に共振する第１アンテナ素子（１）と、
前記直線状の片（Ψ）の中間部から分岐してＸ座標値＋側に延出するＸ軸に平行な片からなる、波長λβ／４に共振する第２アンテナ素子（２）と、
上記第２アンテナ素子（２）の中間点（ｍ）から分岐し、Ｙ軸に沿ってＸ軸に達するＹ方向短片（ｙ）とを具備する逆ＬＦアンテナが形成されており、
かつ、前記Ｙ方向短片（ｙ）と、第２アンテナ素子（２）と、Ｘ軸とによって囲まれた区域（Ｓ）内に位置する無給電素子（３）が設けられていて、
上記無給電素子が、前記第２アンテナ素子（２）と平行に対向離間する片、及び、前記Ｙ方向短片（ｙ）と平行に対向離間する片を有する逆Ｌ字状を成していることを特徴とする、逆ＬＦＬアンテナ。
【請求項２】
前記の波長λα／４に共振する第１アンテナ素子（１）、および波長λβ／４に共振する第２アンテナ素子（２）に、波長λγ／４に共振する第３アンテナ素子（６）を加えて逆ＬＦアンテナが形成されており、波長λα、λβ、及び波長λγの電波を送受信し得ることを特徴とする、請求項１に記載した逆ＬＦＬアンテナ。
【請求項３】
請求項１又は請求高２に記載した逆ＬＦＬアンテナを基本構造とし、
上記基本構造に対し、Ｙ軸に関して対称をなす対称構造が一体的に連設されていることを特徴とする、複合形の逆ＬＦＬアンテナ。
【請求項４】
前記の第１アンテナ素子（１）、第２アンテナ素子（２）、無給電素子（３）、およびグランド板（４）、並びに、要すれば第３アンテナ素子（６）が相互に連結されてアース付きアンテナ素子アッセンブリーを成し、
かつ、上記アース付きアンテナ素子アッセンブリーが、 
イ．導電性の板状素材を切り抜き、もしくは打ち抜いて形成され、または、
ロ．リジッドもしくはフレキシブルの基板上の導電パターンとして形成され、または、
ハ．絶縁性の板またはシートの面に蒸着され、もしくは印刷され、またはエッチング形成されていることを特徴とする、請求項１ないし請求項３のいずれかに記載した逆ＬＦＬアンテナ。
【請求項５】
第１の波長λαと第２の波長λβとを送受信する２バンドアンテナを構成する方法において、
直交座標Ｘ−Ｙを想定するとともに、Ｘ，Ｙ両軸にそれぞれ＋−の方向性を定め、
グランド板（４）の直線状の縁をＸ軸に沿わせて、該グランド板をＸ−Ｙ面上のＹ座標値−（マイナス）領域にに配置し、
座標原点（Ｏ）からＹ座標値＋側に、Ｙ軸に沿って直線状の片（Ψ）を延出せしめ、
上記直線状の片（Ψ）の＋Ｙ側端からＸ座標値＋側に直線状の片を延出せしめて波長λα／４に共振する第１アンテナ素子（１）を構成し、、
上記直線状の片の中間部から分岐させて、Ｘ座標値＋側に直線状の片を延出せしめて波長λβ／４に共振する第２アンテナ素子（２）を構成し、
上記第２アンテナ素子（２）の中間点（ｍ）から分岐させて、Ｙ方向短片（ｙ）をＹ軸に沿ってＸ軸に達せしめ、上記第１アンテナ素子（１）と、第２アンテナ素子（２）と、無給電素子（３）とによって逆ＬＦアンテナを形成し、
さらに、前記第２アンテナ素子（２）と、Ｘ軸と、Ｙ方向短片（ｙ）とによって囲まれた区域（Ｓ）内に、前記第２アンテナ素子（２）と平行に対向離間する直線状の片を設けるとともに、前記Ｙ方向短片（ｙ）と平行に対向離間する直線状の片を設け、これら２個の直線状の片によって逆Ｌ字状の無給電素子（３）を形成することを特徴とする、逆ＬＦＬアンテナを構成する方法。
【請求項６】
前記の波長λα／４に共振する第１アンテナ素子（１）、および波長λβ／４に共振する第２アンテナ素子（２）に、波長λγ／４に共振する第３アンテナ素子（６）を加え、
この第３アンテナ素子を前記直線状の片（Ψ）に接続導通せしめて逆ＬＦＬアンテナを形成し、
波長λα、波長λβ、及び波長λγの電波を送受信可能ならしめることを特徴とする、請求項５に記載した逆ＬＦＬアンテナを構成する方法。
【請求項７】
請求項５または請求項６の逆ＬＦＬアンテナを形成し、
さらに、上記逆ＬＦＬアンテナをＹ軸で折り返した対称形状の逆ＬＦＬアンテナを形成して、
座標原点（Ｏ）からＹ座標値＋側へＹ軸に沿って延出する直線状の片（Ψ）を共有せしめて、上記双方の逆ＬＦＬアンテナを連結することを特徴とする、複合形の逆ＬＦＬアンテナを構成する方法。
【請求項８】
前記の第１アンテナ素子（１）、第２アンテナ素子（２）、無給電素子（３）、およびグランド板（４）、並びに、要すれば第３のと無給電素子（６）を相互に連結して成るアース付きアンテナ素子アッセンブリーを、
イ．導電性の板状素材を切り抜き、もしくは打ち抜いて形成し、または、
ロ．リジッドもしくはフレキシブルの基板上の導電パターンとして形成し、または、
ハ．絶縁性の板またはシートの面に成膜し、蒸着し、もしくは印刷することを特徴とする、請求項５ないし請求項７の何れかに記載した逆ＬＦＬアンテナを構成する方法。
【発明の詳細な説明】
【技術分野】
【０００１】
本発明は、ＧＨｚ帯域の電波を送受信するに適し、特に同調周波数帯域を広げるように改良した逆ＬＦＬ形のアンテナに関するものである。 
【背景技術】
【０００２】
本発明に最も近い公知技術として、図５（Ａ）に例示した逆ＬＦアンテナが有る。この例は、２．４５ＧＨｚと５．２ＧＨｚとに共振する２バンドアンテナとして構成したものである。
−Ｘ〜＋ＸはＸ軸、−Ｙ〜＋ＹはＹ軸であって、直行２軸を形成している。
グランド板４は、その１辺４ａをＸ軸に一致させて配設されている。説明の便宜上、この辺４ａを基準縁と名付ける。
符号１を付して示したのは、波長λα／４に共振する第１アンテナ素子であって、Ｘ軸方向に配置されている。
符号２を付して示したのは、波長λαよりも波長の短いλβに対してλβ／４で共振する第２アンテナ素子であって、Ｘ軸方向に配置されている。
【０００３】
符号Ψを付して示したのはＹ方向長片であって、座標原点Ｏから上方（Ｙ座標値＋側）に向けて延出しており、その先端は、前記第１アンテナ素子１とＹ軸上で接続している。
前記第２アンテナ素子２は、Ｙ方向長片Ψの中間部から分岐している。
上記第２アンテナ素子２の中間の点ｍからグランド板４に向けて、Ｙ方向短片ｙが分岐していて、Ｘ軸との交点付近が給電点５になっている。
以上に説明した図５（Ａ）のアンテナ装置のＶＳＷＲ図を図５（Ｂ）に示す。
２．４５ＧＨｚと５．２ＧＨｚとにおいて整合が得られており、同調周波数帯は比較的狭い。
【特許文献１】特開平２００１−３４５６１９号公報
【特許文献２】特開平２００５−５７８０号公報
【非特許文献１】オーム社発刊  アンテナ工学ハンドブック  １９９２年
【発明の開示】
【発明が解決しようとする課題】
【０００４】
図５に示した先行技術に係る逆ＬＦ形のアンテナは、構造が簡単で、小型軽量であり、しかも高利得の２バンド特性が得られるので、優れた実用性を有している。
しかし、アンテナの使用条件によっては、より広い同調周波数帯が望まれる場合も少なくない。
本発明は以上に述べた事情に鑑みて為されたものであって、その目的とするところは、
図５に例示した先行技術に係る逆ＬＦ形アンテナを改良して、その小型軽量・高利得という長所を損なうことなく、より広い同調周波数帯のアンテナ装置を提供するにある。
【課題を解決するための手段】
【０００５】
前記の目的を達成するため本発明は、前記先行技術に係る逆ＬＦ形アンテナを母体とし、これに無給電素子を追加する。
ＧＨｚ周波数帯で使用されるこの種のアンテナ装置を工業的に生産する場合、エッチング技法や印刷技法や蒸着技法が適用され、複数のアンテナパターンを同時に形成することができる。このため、本発明を適用して無給電素子を追加することによる製造コストの増加は、無視し得る程度に微小である。
【０００６】
上述の原理に基づく具体的な構成として、請求項１に係る発明アンテナの構成は、
（図１参照）、第１の波長λαと第２の波長λβとを送受信する２バンドアンテナにおいて、
直交座標Ｘ，Ｙを想定するとともに、Ｘ，Ｙ両軸にそれぞれ＋−の方向性を定め、
グランド板（４）が、その直線状の縁をＸ軸に沿わせて、Ｘ−Ｙ面上のＹ座標値−（マイナス）領域にに配置され（すなわち、図１においてＸ軸の下方に位置して）おり、
座標原点ＯからＹ座標値＋側に向けて、Ｙ軸に沿って延出する直線状の片（長片Ψと名付ける・後述する短片ｙよりも長い故である）と、
上記Ｙ方向の長片（Ψ）の＋Ｙ側端（すなわち、図１において上端）からＸ座標値＋側（上方）に延出するＸ軸に平行な片から成る、波長λα／４に共振する第１アンテナ素子（１）と、
前記Ｙ方向の長片（Ψ）の中間部から分岐してＸ座標値＋側（右方）に延出するＸ軸に平行な片からなる、波長λβ／４に共振する第２アンテナ素子（２）と、
上記第２アンテナ素子（２）の中間点（ｍ）から分岐し、Ｙ軸に沿って（下方に向かって）Ｘ軸に達する（必然的に前記の長片（Ψ）よりも短い）Ｙ方向短片（ｙ）とを具備する逆ＬＦアンテナが形成されており（この段落番号０００６において以上に述べた構成部分は、図５に示した先行技術と同様ないし類似である）、
かつ、前記Ｙ方向短片（ｙ）と、第２アンテナ素子（２）と、Ｘ軸とによって囲まれた区域（Ｓ）内に位置する無給電素子（３）が設けられていて、
上記無給電素子が、前記第２アンテナ素子（２）と平行に対向離間する片、及び、前記Ｙ方向短片（ｙ）と平行に対向離間する片を有する逆Ｌ字状を成していることを特徴とする。
以上に説明した請求項１の発明によると、先行技術に係るアンテナ（図５）に比して、形状，寸法，重量をほとんど増加させることなく、ほとんど同じ製造コストで、しかも該先行技術におけると同様の高利得を失うことなく、２つの波長λα、λβのうち短い方の波長付近の同調周波数帯域が格段に拡大される。
【０００７】
請求項２に係る発明の構成は、前記請求項１の発明の構成要件に加えて、
（図１参照）前記の波長λα／４に共振する第１アンテナ素子（１）、および波長λβ／４に共振する第２アンテナ素子（２）に、点線で示した波長λγ／４に共振する第３アンテナ素子（６）を加えて逆ＬＦアンテナが形成されており、波長λα、λβ、及び波長λγの電波を送受信し得ることを特徴とする。
以上に説明した請求項２の発明によると、小型軽量で低コストの３バンドアンテナ装置を構成することができ、しかも３つの波長の中で一番短い波長について、その同調周波数帯域を飛躍的に拡大することができる。
この原理を応用すると４バンド以上の多周波アンテナの同調周波数帯域を拡大することもできる。このような応用も本発明の技術的範囲に属する。
【０００８】
請求項３に係る発明の構成は、（図４参照）請求項１又は請求高２に記載した逆ＬＦＬアンテナ（図の右半分・Ｙ軸の右側）を基本構造とし、
上記基本構造に対し、Ｙ軸に関して対称をなす対称構造（図の左半分・Ｙ軸の左側）が一体的に連設されていることを特徴とする。
以上に説明した請求項３の発明によっても、前記請求項１、同２にけると同様の広帯域、高利得が得られ、よりシャープな指向特性を期待することができる。
【０００９】
請求項４に係る発明の構成は、前記請求項１ないし請求項３の発明の構成要件に加えて、前記の第１アンテナ素子（１）、第２アンテナ素子（２）、無給電素子（３）、およびグランド板（４）、並びに、要すれば第３アンテナ素子（６）が相互に連結されてアース付きアンテナ素子アッセンブリーを成し、
かつ、上記アース付きアンテナ素子アッセンブリーが、 
イ．導電性の板状素材を切り抜き、もしくは打ち抜いて形成され、または、
ロ．リジッドもしくはフレキシブルの基板上の導電パターンとして形成され、または、
ハ．電気絶縁性の板または電気絶縁性シートの面に蒸着され、もしくは印刷され、またはエッチング形成されていることを特徴とする。
以上に説明した請求項４の発明によると、本発明に係る逆ＬＦＬ形アンテナ装置を工業的に大量生産することができる。これに伴って、大量生産に因る品質均一、低コストといった利点を享受することができる。
この請求項４の発明に係る構成は、専門のアンテナメーカーによって実施されることが望ましく、電子機器製品製造の分業化促進にも貢献し得る。  
【００１０】
請求項５に係る発明方法の構成は、（図１参照）第１の波長λαと第２の波長λβとを送受信する２バンドアンテナを構成する方法において、
直交座標Ｘ−Ｙを想定するとともに、Ｘ，Ｙ両軸にそれぞれ＋−の方向性を定め、
グランド板（４）の直線状の縁をＸ軸に沿わせて、該グランド板をＸ−Ｙ面上のＹ座標値−（マイナス）領域にに配置し、
座標原点（Ｏ）からＹ座標値＋側に、Ｙ軸に沿って直線状の片（Ψ）を延出せしめ、
上記直線状の片（Ψ）の＋Ｙ側端からＸ座標値＋側に直線状の片を延出せしめて波長λα／４に共振する第１アンテナ素子（１）を構成し、、
上記直線状の片の中間部から分岐させて、Ｘ座標値＋側に直線状の片を延出せしめて波長λβ／４に共振する第２アンテナ素子（２）を構成し、
上記第２アンテナ素子（２）の中間点（ｍ）から分岐させて、Ｙ方向短片（ｙ）をＹ軸に沿ってＸ軸に達せしめ、上記第１アンテナ素子（１）と、第２アンテナ素子（２）と、無給電素子（３）とによって逆ＬＦアンテナを形成し、
さらに、前記第２アンテナ素子（２）と、Ｘ軸と、Ｙ方向短片（ｙ）とによって囲まれた区域（Ｓ）内に、前記第２アンテナ素子（２）と平行に対向離間する直線状の片を設けるとともに、前記Ｙ方向短片（ｙ）と平行に対向離間する直線状の片を設け、これら２個の直線状の片によって逆Ｌ字状の無給電素子（３）を形成することを特徴とする。
以上に説明した請求項５の発明方法によると、小型軽量で高利得のＧＨｚ帯２バンドアンテナを低コストで生産することができ、しかも広い同調周波数帯域が得られる。
【００１１】
請求項６に係る発明方法の構成は、前記請求項５の発明方法の構成要件に加えて、
（図１に点線で記載した構成部分を参照）前記の波長λα／４に共振する第１アンテナ素子（１）、および波長λβ／４に共振する第２アンテナ素子（２）に、波長λγ／４に共振する第３アンテナ素子（６）を加え、
この第３アンテナ素子を前記直線状の片（Ψ）に接続導通せしめて逆ＬＦＬアンテナを形成し、
波長λα、波長λβ、及び波長λγの電波を送受信可能ならしめることを特徴とする。
以上に説明した請求項６の発明方法によると、小型軽量，高利得の３バンドアンテナ装置を低コストで構成することができ、しかも３つの波長の中で一番短い波長について、その同調周波数帯域を飛躍的に拡大させることができる。
この原理を応用すると、同調周波数帯域の広い４バンド以上の多周波アンテナを製作することもできる。このような応用も本発明の技術的範囲に属するものである。
【００１２】
請求項７に係る発明方法の構成は、
（図４参照）基本構造として、請求項５または請求項６の逆ＬＦＬアンテナを形成し、
さらに、上記逆ＬＦＬアンテナをＹ軸で折り返した対称構造の逆ＬＦＬアンテナを形成して、
座標原点（Ｏ）から、Ｙ座標値が＋の側（図の上方）へＹ軸に沿って延出するＹ方向の長片（Ψ）を共有せしめて、上記双方の逆ＬＦＬアンテナを連結することを特徴とする。
以上に説明した請求項７の発明方法によっても、前記請求項５、同６にけると同様の広帯域、高利得の逆ＬＦＬアンテナを構成することができ、しかも、よりシャープな指向特性を期待することができる。
【００１３】
請求項８に係る発明方向の構成は、前記請求項５ないし請求項７の発明方向の構成要件に加えて、
前記の第１アンテナ素子（１）、第２アンテナ素子（２）、無給電素子（３）、およびグランド板（４）、並びに、要すれば第３のと無給電素子（６）を相互に連結して成るアース付きアンテナ素子アッセンブリーを、
イ．導電性の板状素材を切り抜き、もしくは打ち抜いて形成し、または、
ロ．リジッドもしくはフレキシブルの基板上の導電パターンとして形成し、または、
ハ．電気絶縁性の板または電気絶縁性シートの面に成膜し、蒸着し、もしくは印刷することを特徴とする。
以上に説明した請求項８の発明方法によると、本発明に係る逆ＬＦＬ形アンテナ装置を工業的に大量生産することができる。これに伴って、大量生産に因る品質均一、低コストといった利点を享受することができる。
この請求項８の発明方向は、専門のアンテナメーカーによって実施されることが望ましく、電子機器製品製造の分業化促進にも貢献し得る。
【発明の効果】
【００１４】
請求項１の発明によると、先行技術に係るアンテナに比して、形状，寸法，重量をほとんど増加させることなく、ほとんど同じ製造コストで、しかも該先行技術におけると同様の高利得を失うことなく、２種類の波長のλα、λβの電波を送受信することができ、しかも該２種類の波長のうち短い方の波長付近の同調周波数帯域が格段に拡大することができる。  
【００１５】
請求項２の発明によると、小型軽量で低コストの３バンドアンテナ装置を構成することができ、しかも３つの波長の中で一番短い波長について、その同調周波数帯域を飛躍的に拡大することができる。
請求項３の発明によっても、前記請求項１、同２にけると同様の広帯域、高利得が得られ、よりシャープな指向特性を期待することができる。
請求項４の発明によると、本発明に係る逆ＬＦＬ形アンテナ装置を工業的に大量生産することができ、これに伴って、大量生産に因る品質均一、低コストといった利点を享受することができる。
【００１６】
請求項５の発明方法によると、小型軽量で高利得のＧＨｚ帯２バンドアンテナを低コストで生産することができ、しかも広い同調周波数帯域が得られる。
請求項６の発明方法によると、小型軽量，高利得の３バンドアンテナ装置を低コストで構成することができ、しかも３つの波長の中で一番短い波長について、その同調周波数帯域を飛躍的に拡大させることができる。
ることもできる。このような応用も本発明の技術的範囲に属するものである。
【００１７】
請求項７の発明方法によっても、前記請求項５、同６にけると同様の広帯域、高利得の逆ＬＦＬアンテナを構成することができ、しかも、よりシャープな指向特性を期待することができる。
請求項８の発明方法によると、本発明に係る逆ＬＦＬ形アンテナ装置を工業的に大量生産することができ、これに伴って、大量生産に因る品質均一、低コストといった利点を享受することができる。
この請求項８の発明方向は、専門のアンテナメーカーによって実施されることが望ましく、電子機器製品製造の分業化促進にも貢献し得る。
【発明を実施するための最良の形態】
【００１８】
図１は本発明の実施形態を模式的に描いた平面図である。 
直交座標Ｘ，Ｙを想定する。０は座標原点である。Ｚ軸は座標原点Ｏを通って紙面に直交しているが、本明細書においてはＺ軸方向の立体構造に言及しない。
Ｘ軸は右方が＋（プラス）、左方がー（マイナス）であり、Ｙ軸は上方が＋（プラス）、下方がー（マイナス）である。従って、Ｘ軸よりも下の区域はＹ座標値がーの領域である。
この座標系は、説明の便宜状のものであって、ＸとＹとの間で座標変換することもでき、Ｘ，Ｙ直交座標を回転させることもできる。Ｘ，Ｙ座標を用いて説明された構成の内容が大切であって、座標を文理的に解釈して本発明の技術的範囲を限定してはならない。
【００１９】
先ず、実線で描かれている部分を参照して基本的な構成を説明する。  
斑点を付して示した部分は、前掲の図５（Ａ）を参照して述べた先行技術と同様の構成である。
すなわち、座標原点ＯからＹ座標値＋側（図の上方）に向けて、Ｙ軸に沿って延出する直線状の長片Ψと、
上記直線状の長片Ψの＋Ｙ側端（上端）からＸ座標値＋側（右方）に延出するＸ軸に平行な片から成る第１アンテナ素子１と、
前記直線状の長片Ψの中間部から分岐してＸ座標値＋側（右方）に延出するＸ軸に平行な片からなる第２アンテナ素子２と、
上記第２アンテナ素子２の中間点ｍから分岐し、Ｙ軸に沿ってＸ軸に達するＹ方向短片ｙとによって、２バンドの同調特性を有する逆ＬＦアンテナが形成されている。
【００２０】
平行斜線を付し符号３で示したのは、本発明を適用して構成した無給電素子であって、第２アンテナ素子２と、Ｘ軸と、Ｙ方向短片ｙとによって囲まれた区域Ｓに位置している（第２アンテナ素子２に比して、若干右方へ出ても構わない）。
この無給電素子３は逆Ｌ形をなし、Ｘ軸方向の片とＹ方向の片とから成っている。
無給電素子３のＸ軸方向の片は第２アンテナ素子２に対しても、グランド板４の基準線４ａに対しても、平行に対向離間している。
無給電素子３のＹ軸方向の片は、前記逆ＬＦアンテナのＹ軸方向短片ｙに対して平行に対向離間している。
【００２１】
本実施形態においては、配線基板の面に、エッチング技法を用いて図１の導通パターンを形成した。
これと異なる実施形態として、電気絶縁性の板またはシートの面に導電性の図形を印刷しても良く、また、金属薄膜を蒸着しても良い。
フレキシブルな電気絶縁性フィルムに印刷又は蒸着してアンテナパターンを構成すると、このフィルムを更に電気絶縁性のフィルムでパックして電子装置（例えばパソコン）の中に収納するに好適である。
また、導電性の薄板を素材として、図１のアンテナパターンを切り抜き、もしくは打ち抜くこともできる。
このように、各種の製作技法を任意に適用できること、すなわち生産技術的な自由度が大きいことも、本発明の長所の一つである。
【００２２】
（図１参照）本実施形態の逆ＬＦＬアンテナが、比較的長い波長λαの電波を受けたとき、第１アンテナ素子１付近に記入した屈曲矢印λα／４のごとく、１／４波長に同調する。
比較的短い波長λβの電波を受けたとき、第２アンテナ素子２の付近に記入した屈折矢印λβ／４のごとく、１／４波長に同調する。
【００２３】
図２は、本実施形態におけるＶＳＷＲ図である。
同調特性は、図１に示した無給電素子３の長さ寸法Ｌによって変化する。
上記の寸法Ｌを０にすると（すなち、取り除くと）該無給電素子を設けていない先行技術における逆ＬＦアンテナと同じになる。
図２に付記したＬ＝０ｍｍのカーブは、図５（Ｂ）に示した先行技術のＶＳＷＲと同じである。
図１に示した無給電素子３の長さＬを１０ｍｍにすると、図２のＶＳＷＲは鎖線カーブのようになり、長い方の波長λβに対応する周波数付近の同調周波数帯域が明確に拡大する。 
前記の長さＬを１１ｍｍにすると破線カーブのようになり、９ｍｍにすると点線カーブのようになる。
このような変化を計算して設計することは容易でないから、本発明を実施する場合、最適な寸法Ｌの値は実験的に選定することが実際的であり、推奨される。
本例におけるＹ方向長片Ψの実寸Ｈは６．５ｍｍであり、アンテナ素子の幅寸法は１ｍｍである。
【００２４】
図３（Ａ）は、本実施形態のアンテナ装置が２．４５ＧＨｚの電波に共振したときの電流密度分布を、斑点の粗密で表した図表である。
図３（Ｂ）は、本実施形態のアンテナ装置が５．２ＧＨｚの電波に共振したときの電流密度分布を、斑点の粗密で表した図表である。  
【００２５】
図４は前記と異なる実施形態の模式的な平面図である。
Ｙ軸の右側に描かれている部分は、図１の実施形態におけるアンテナパターンである。
これを基本構造とし、Ｙ軸を中心として図の左方へ折り返すことにより、Ｙ軸に関して対称なパターンを得る。上記の基本構造と対応構造とを一体的に連結し、Ｙ方向長片Ψを共有させて複合逆ＬＦＬ形のアンテナパターンを構成する。
この図４の実施形態によっても、図１の実施形態におけると同様の広帯域同調特性、および高利得が得られ、かつ、図１の実施形態におけるよりもシャープな指向特性が得られた。
【００２６】
図１において実線で描かれている構成部分については以上に説明したとおりであるが、更に異なる実施形態として、点線で描かれている第３アンテナ素子６を追加することもできる。このように構成した場合、前記の波長λαの電波および波長λβの電波に対する同調特性はほとんど変わらずに、より長い波長λγにも同調し得る用になって、３バンドアンテナとなる。この場合、最も短い波長の電波に対して広い同調帯域が得られる。
【図面の簡単な説明】
【００２７】
【図１】本発明に係る逆ＬＦＬアンテナの実施形態を示す模式的な平面図
【図２】上記実施形態の逆ＬＦＬアンテナにおけるＶＳＷＲ図
【図３】上記実施形態の逆ＬＦＬアンテナが同調したときも電流分布密度を斑点の粗密で表した図表
【図４】前掲の図１と異なる実施形態に係る逆ＬＦＬアンテナを模式的に描いた平面図
【図５】先行技術に係る逆ＬＦアンテナを説明するために示したもので、（Ａ）は模式的な平面図、（Ｂ）はＶＳＷＲ図
【符号の説明】
【００２８】
１…第１アンテナ素子
１′…第１アンテナ素子１と対称をなすアンテナ素子
２…第２アンテナ素子
２′…第２アンテナ素子２と対称をなすアンテナ素子
３…無給電素子
３′…無給電素子３と対称をなす無給電素子
４…グランド板
４ａ…基準線
５…給電点
６…第３アンテナ素子
【図１】
2006238269.tif 000003
【図２】
2006238269.tif 000004
【図３】
2006238269.tif 000005
【図４】
2006238269.tif 000006
【図５】
2006238269.tif 000007